(57)【要約】【課題】装着した状態で堅い材質の椅子や床に腰掛けたときに、臀部や腰部にかかる衝撃や負担を軽減することができる排泄物処理用の着用物品を提供する。【解決手段】着用物品１０Ａは、着用者の腰部、胴部、臀部を包被する身頃域１７と着用者の股下に位置する股下域１８とを有するカバーシート１１と、カバーシート１１の内面に固着され、身頃域１７の中央部に延びていて着用者の臀部を包被する緩衝用クッション部材１２と、緩衝用クッション部材１２の内面に着脱可能に取り付けられて身頃域１７の中央部と股下域１８とに延びる尿吸収用クッション部材１３と、尿吸収用クッション部材１３の内面に着脱可能に取り付けられて身頃域１７の中央部に位置する便保持シート１４とから形成されている。【選択図】図１
0003188898.tif 000002
【実用新案登録請求の範囲】
【請求項１】
着用者の腰部から股下にかけて着脱可能に装着され、前記着用者の排泄物の処理に使用される着用物品において、
前記着用物品が、前記着用者の腰部、胴部、臀部を包被する身頃域と該着用者の股下に位置する股下域とを有するカバーシートと、前記カバーシートの内面に固着され、前記身頃域の中央部に延びていて前記着用者の臀部を包被する緩衝用クッション部材と、前記緩衝用クッション部材の内面に着脱可能に取り付けられて前記身頃域の中央部と前記股下域とに延びる尿吸収用クッション部材と、前記尿吸収用クッション部材の内面に着脱可能に取り付けられて前記身頃域の中央部に位置する便保持シートとから形成されていることを特徴とする着用物品。
【請求項２】
前記便保持シートが、疎水性繊維不織布と通気不透液性プラスチックフィルムとのうちの少なくとも前記プラスチックフィルムから作られている請求項１に記載の着用物品。
【請求項３】
前記着用物品が、前記尿吸収用クッション部材の内面に着脱可能に取り付けられて前記股下域に位置する使い捨て尿取りパッドを含む請求項１または請求項２に記載の着用物品。
【請求項４】
前記使い捨て尿取りパッドが、前記尿吸収用クッション部材の両側部の内側に位置して長さ方向へ延びる両側部と、前記尿吸収用クッション部材の両端部の内側に位置して幅方向へ延びる両端部とを有し、肌当接側に位置する透液性表面シートと、肌非当接側に位置する不透液性裏面シートと、前記表裏面シートの間に介在する吸液性コアとから形成されている請求項３に記載の着用物品。
【請求項５】
着用者の腰部から股下にかけて着脱可能に装着され、前記着用者の排泄物の処理に使用される着用物品において、
前記着用物品が、前記着用者の腰部、胴部、臀部を包被する身頃域と該着用者の股下に位置する股下域とを有するカバーシートと、前記カバーシートの内面に固着され、前記身頃域の中央部に延びていて前記着用者の臀部を包被する緩衝用クッション部材と、前記緩衝用クッション部材の内面に着脱可能に取り付けられて前記身頃域の中央部と前記股下域とに延びる尿吸収用クッション部材と、前記尿吸収用クッション部材の内面に着脱可能に取り付けられて前記身頃域の中央部と前記股下域とに延びる使い捨て吸収性部材とから形成されていることを特徴とする着用物品。
【請求項６】
前記使い捨て吸収性部材が、前記尿吸収用クッション部材の両側部の内側に位置して長さ方向へ延びる両側部と、前記尿吸収用クッション部材の両端部の内側に位置して幅方向へ延びる両端部とを有し、肌当接側に位置する透液性表面シートと、肌非当接側に位置する不透液性裏面シートと、前記表裏面シートの間に介在する吸液性コアとから形成されている請求項５に記載の着用物品。
【請求項７】
前記使い捨て吸収性部材の両側部には、長さ方向へ延びる防漏シートが配置され、前記防漏シートが、前記吸収性部材の両側部に固着された固定側部と、伸縮性弾性部材が伸長状態で取り付けられて前記表面シートの上方へ起立性向を有する可動側部と、前記吸収性部材の両端部に固着された固定両端部とを有する請求項６に記載の着用物品。
【請求項８】
前記カバーシートの身頃域の一方の側部には、雄ファスナと雌ファスナとのうちのいずれか一方が取り付けられ、前記身頃域の他方の側部には、前記雄ファスナと前記雌ファスナとのうちのいずれか他方が取り付けられ、前記着用物品では、それらファスナどうしを係合させることで、前記身頃域の側部どうしを連結する請求項１ないし請求項７いずれかに記載の着用物品。
【請求項９】
前記カバーシートが、疎水性繊維不織布と通気不透液性プラスチックフィルムとのうちの少なくとも前記プラスチックフィルムから作られている請求項１ないし請求項８いずれかに記載の着用物品。
【請求項１０】
前記尿吸収用クッション部材が、長さ方向へ延びていて肌当接側に隆起する両側部と、幅方向へ延びていて肌当接側に隆起する両端部と、前記両側部および前記両端部を除く残余部とを有し、前記残余部の厚み寸法が、前記両側部および前記両端部のそれよりも小さい請求項１ないし請求項９いずれかに記載の着用物品。
【請求項１１】
前記カバーシートには、その両側縁部から幅方向へ延びていて前記着用者の腰部を締め付ける腰回りベルトが取り付けられているとともに、前記股下域の先端部から長さ方向へ延びていて前記緩衝用クッション部材と前記尿吸収用クッション部材と前記着用者に密着させる股下ベルトが取り付けられている請求項１ないし請求項１０いずれかに記載の着用物品。
【考案の詳細な説明】
【技術分野】
【０００１】
本考案は、着用者の腰部から股下にかけて着脱可能に装着され、着用者の排泄物の処理に使用される着用物品に関する。
【背景技術】
【０００２】
前身頃および後身頃と、それら身頃の間に位置する股下身頃と、前後身頃のいずれか一方の両側部に取り付けられたウエストベルトとを有し、ウエストベルトが、着用者の肌に当接する内側シートと、内側シートの肌非当接側に位置する外側シートと、内外側シートの間に介在するクッション形成シートとを備え、ウエストベルトのウエスト周り端縁に沿う方向に延びる複数のウエスト伸縮材が外側シートとクッション形成シートとの間に伸長状態で固定され、ウエストベルトのウエスト周り端縁に沿う方向へ間欠的に延びる接合部と非接合部とがクッション形成シートの内面に接合されたおむつを開示している（特許文献１参照）。
【先行技術文献】
【特許文献】
【０００３】
【特許文献１】特開２０１３−７０７１１号公報
【考案の概要】
【考案が解決しようとする課題】
【０００４】
前記特許文献１に開示のおむつは、前後身頃および股下身頃におけるクッション性が悪く、おむつの装着した状態の着用者が堅い材質の椅子や床に腰掛けた場合、着用者の臀部に椅子や床の硬さが直接伝わり、臀部や腰部に不要な衝撃や負担がかかる場合がある。特に、臀部や腰部の筋肉が減少した高齢者がおむつを着用して椅子や床に長時間腰掛けた場合、臀部や腰部にしびれや痛み等の不快感や違和感が生じる場合がある。
【０００５】
本考案の目的は、装着した状態で堅い材質の椅子や床に腰掛けたときに、臀部や腰部にかかる衝撃や負担を軽減することができる排泄物処理用の着用物品を提供することにある。
【課題を解決するための手段】
【０００６】
前記課題を解決するための本考案の前提は、着用者の腰部から股下にかけて着脱可能に装着され、着用者の排泄物の処理に使用される着用物品である。
【０００７】
前記前提における本考案の第１の特徴は、着用物品が、着用者の腰部、胴部、臀部を包被する身頃域と着用者の股下に位置する股下域とを有するカバーシートと、カバーシートの内面に固着され、身頃域の中央部に延びていて着用者の臀部を包被する緩衝用クッション部材と、緩衝用クッション部材の内面に着脱可能に取り付けられて身頃域の中央部と股下域とに延びる尿吸収用クッション部材と、尿吸収用クッション部材の内面に着脱可能に取り付けられて身頃域の中央部に位置する便保持シートとから形成されていることにある。
【０００８】
前記第１の特徴を有する本考案の一例としては、便保持シートが疎水性繊維不織布と通気不透液性プラスチックフィルムとのうちの少なくともプラスチックフィルムから作られている。
【０００９】
前記第１の特徴を有する本考案の他の一例としては、着用物品が尿吸収用クッション部材の内面に着脱可能に取り付けられて股下域に位置する使い捨て尿取りパッドを含む。
【００１０】
前記第１の特徴を有する本考案の他の一例としては、使い捨て尿取りパッドが、尿吸収用クッション部材の両側部の内側に位置して長さ方向へ延びる両側部と、尿吸収用クッション部材の両端部の内側に位置して幅方向へ延びる両端部とを有し、肌当接側に位置する透液性表面シートと、肌非当接側に位置する不透液性裏面シートと、表裏面シートの間に介在する吸液性コアとから形成されている。
【００１１】
前記前提における本考案の第２の特徴は、着用物品が、着用者の腰部、胴部、臀部を包被する身頃域と着用者の股下に位置する股下域とを有するカバーシートと、カバーシートの内面に固着され、身頃域の中央部に延びていて着用者の臀部を包被する緩衝用クッション部材と、緩衝用クッション部材の内面に着脱可能に取り付けられて身頃域の中央部と股下域とに延びる尿吸収用クッション部材と、尿吸収用クッション部材の内面に着脱可能に取り付けられて身頃域の中央部と股下域とに延びる使い捨て吸収性部材とから形成されていることにある。
【００１２】
前記第２の特徴を有する本考案の一例としては、使い捨て吸収性部材が、尿吸収用クッション部材の両側部の内側に位置して長さ方向へ延びる両側部と、尿吸収用クッション部材の両端部の内側に位置して幅方向へ延びる両端部とを有し、肌当接側に位置する透液性表面シートと、肌非当接側に位置する不透液性裏面シートと、表裏面シートの間に介在する吸液性コアとから形成されている。
【００１３】
前記第２の特徴を有する本考案の他の一例として、使い捨て吸収性部材の両側部には、長さ方向へ延びる防漏シートが配置され、防漏シートが、吸収性部材の両側部に固着された固定側部と、伸縮性弾性部材が伸長状態で取り付けられて表面シートの上方へ起立性向を有する可動側部と、吸収性部材の両端部に固着された固定両端部とを有する。
【００１４】
前記第１および第２の特徴を有する本考案の一例として、カバーシートの身頃域の一方の側部には、雄ファスナと雌ファスナとのうちのいずれか一方が取り付けられ、身頃域の他方の側部には、雄ファスナと雌ファスナとのうちのいずれか他方が取り付けられ、着用物品では、それらファスナどうしを係合させることで、身頃域の側部どうしを連結する。
【００１５】
前記第１および第２の特徴を有する本考案の他の一例としては、カバーシートが疎水性繊維不織布と通気不透液性プラスチックフィルムとのうちの少なくともプラスチックフィルムから作られている。
【００１６】
前記第１および第２の特徴を有する本考案の他の一例としては、尿吸収用クッション部材が、長さ方向へ延びていて肌当接側に隆起する両側部と、幅方向へ延びていて肌当接側に隆起する両端部と、両側部および両端部を除く残余部とを有し、残余部の厚み寸法が両側部および両端部のそれよりも小さい。
【００１７】
前記第１および第２の特徴を有する本考案の他の一例として、カバーシートには、その両側縁部から幅方向へ延びていて着用者の腰部を締め付ける腰回りベルトが取り付けられているとともに、股下域の先端部から長さ方向へ延びていて緩衝用クッション部材と尿吸収用クッション部材と着用者に密着させる股下ベルトが取り付けられている。
【考案の効果】
【００１８】
第１の特徴を有する着用物品によれば、それがカバーシートの内面に固着された緩衝用クッション部材と緩衝用クッション部材の内面に取り付けられた尿吸収用クッション部材とを有し、緩衝用クッション部材や尿吸収用クッション部材が衝撃に対する緩衝材になるから、着用物品を装着した着用者が堅い材質の椅子や床に腰掛けたとしても、それらクッション部材が着用者の臀部や腰部に当接して椅子や床の硬さが直接伝わることはなく、臀部や腰部にかかる衝撃や負担を軽減することができる。着用物品は、緩衝用クッション部材や尿吸収用クッション部材が臀部や腰部にかかる衝撃や負担を軽減するから、着用物品を装着した着用者が椅子や床に長時間腰掛けたとしても、臀部や腰部に不快感や違和感が生じることはなく、臀部や腰部の筋肉が減少した高齢者に好適に使用することができる。着用物品は、緩衝用クッション部材の内面に尿吸収用クッション部材を有するから、排泄された尿を尿吸収用クッション部材に吸収させることができ、着用物品における尿漏れを防ぐことができる。また、尿吸収用クッション部材の内面に便保持シートが着脱可能に取り付けられているから、排泄された便を便保持シートに保持させることができ、着用物品における便漏れを防ぐことができる。着用物品は、便が排泄された場合、それを保持した便保持シートを尿吸収用クッション部材から取り外し、新しい便保持シートをクッション部材に取り付けることができるから、便保持シートを替えるだけで着用物品を清潔な状態で繰り返し使用することができる。また、尿が排泄された場合、それを吸収した尿吸収用クッション部材を緩衝用クッション部材から取り外し、清潔な尿吸収用クッション部材を緩衝用クッション部材に取り付けることができるから、尿吸収用クッション部材を替えるだけで着用物品を清潔な状態で繰り返し使用することができる。
【００１９】
便保持シートが疎水性繊維不織布と通気不透液性プラスチックフィルムとのうちの少なくともプラスチックフィルムから作られている着用物品は、便保持シートに排泄された便のシートからの滲出を防ぐことができるから、便保持シートに便を確実に保持させることができ、着用物品における便漏れを防ぐことができるとともに、便によるカバーシートや緩衝用クッション部材、尿吸収用クッション部材の汚れを防ぐことができる。
【００２０】
尿吸収用クッション部材の内面に着脱可能に取り付けられた使い捨て尿取りパッドを含む着用物品は、使い捨て尿取りパッドが着用者の尿を吸収するから、排泄された尿を尿吸収用クッション部材のみならず尿取りパッドに保持させることができ、着用物品における尿漏れを確実に防ぐことができる。着用物品は、尿を吸収した尿取りパッドを尿吸収用クッション部材から取り外して新しいパッドを尿吸収用クッション部材に取り付けることができ、パッドを替えるだけで着用物品を清潔な状態で繰り返し使用することができる。
【００２１】
使い捨て尿取りパッドが肌当接側に位置する透液性表面シートと肌非当接側に位置する不透液性裏面シートと表裏面シートの間に介在する吸液性コアとから形成されている着用物品は、排泄された尿が透液性表面シートを透過して吸液性コアに吸収保持されるとともに、尿が不透液性裏面シートを透過することがないから、排泄された尿を尿取りパッドに保持させることができ、着用物品における尿漏れを確実に防ぐことができる。
【００２２】
第２の特徴を有する着用物品によれば、それがカバーシートの内面に固着された緩衝用クッション部材と緩衝用クッション部材の内面に取り付けられた尿吸収用クッション部材とを有し、緩衝用クッション部材や尿吸収用クッション部材が衝撃に対する緩衝材になるから、着用物品を装着した着用者が堅い材質の椅子や床に腰掛けたとしても、それらクッション部材が着用者の臀部や腰部に当接して椅子や床の硬さが直接伝わることはなく、臀部や腰部にかかる衝撃や負担を軽減することができる。着用物品は、緩衝用クッション部材や尿吸収用クッション部材が臀部や腰部にかかる衝撃や負担を軽減するから、着用物品を装着した着用者が椅子や床に長時間腰掛けたとしても、臀部や腰部に不快感や違和感が生じることはなく、臀部や腰部の筋肉が減少した高齢者に好適に使用することができる。着用物品は、尿吸収用クッション部材の内面に着脱可能に取り付けられる使い捨て吸収性部材を有するから、排泄された尿や便を吸収性部材に保持させることができ、着用物品における尿漏れや便漏れを防ぐことができる。着用物品は、尿や便が排泄された場合、それを保持した使い捨て吸収性部材を尿吸収用クッション部材から取り外し、新しい吸収性部材をクッション部材に取り付けることができるから、吸収性部材を替えるだけで着用物品を清潔な状態で繰り返し使用することができる。
【００２３】
使い捨て吸収性部材が肌当接側に位置する透液性表面シートと肌非当接側に位置する不透液性裏面シートと表裏面シートの間に介在する吸液性コアとから形成されている着用物品は、排泄された尿や便が透液性表面シートを透過して吸液性コアに吸収保持されるとともに、尿や便が不透液性裏面シートを透過することがないから、排泄された尿や便を尿取りパッドに保持させることができ、着用物品における尿漏れや便漏れを確実に防ぐことができる。
【００２４】
防漏シートが吸収性部材の両側部に固着された固定側部と伸縮性弾性部材が伸長状態で取り付けられて表面シートの上方へ起立性向を有する可動側部と吸収性部材の両端部に固着された固定両端部とを有する着用物品は、着用者が着用物品を着用し、使い捨て吸収性部材が表面シートを内側にして長さ方向へ湾曲すると、伸縮性弾性部材が長さ方向へ収縮して防漏シートの可動側部が表面シートの上方へ起立するから、可動側部が尿や便に対する障壁となり、着用物品における尿や便の横漏れを防ぐことができる。
【００２５】
雄ファスナと雌ファスナとのうちのいずれか一方が身頃域の一方の側部に取り付けられ、雄ファスナと雌ファスナとのうちのいずれか他方が身頃域の他方の側部に取り付けられ、それらファスナどうしを係合させることで身頃域の側部どうしを連結する着用物品は、ファスナどうしを係合させて身頃域の側部どうしを連結することで、身頃域によって着用者の腰部と胴部とを包被することができ、着用物品を着用者に装着することができる。着用物品は、身頃域の側部どうしを連結することで身頃域が筒状になり、身頃域の形状に沿って緩衝用クッション部材が湾曲するから、緩衝用クッション部材によって着用者の臀部を包被することができる。
【００２６】
カバーシートが疎水性繊維不織布と通気不透液性プラスチックフィルムとのうちの少なくともプラスチックフィルムから作られている着用物品は、便保持シートや尿吸収用クッション部材、使い捨て尿取りパッド、使い捨て吸収性部材に排泄された尿や便がそれらから漏れたとしても、尿や便のカバーシートへの滲入を防ぐことができ、カバーシートの外側への尿漏れや便漏れを防ぐことができる。
【００２７】
尿吸収用クッション部材が肌当接側に隆起する両側部および両端部と、それら部を除く残余部とを有し、残余部の厚み寸法が両側部および両端部のそれよりも小さい着用物品は、尿吸収用クッション部材の内面に便保持シートや使い捨て尿取りパッド、使い捨て吸収性部材を配置したときに、尿吸収用クッション部材の残余部にそれらが納まるとともに、尿吸収用クッション部材の肌当接側に隆起する両側部および両端部が障壁となり、尿吸収用クッション部材からの便保持シートや使い捨て尿取りパッド、使い捨て吸収性部材の脱落を防ぐことができ、尿吸収用クッション部材における便保持シートや使い捨て尿取りパッド、使い捨て吸収性部材のずれ動きを防ぐことができる。
【００２８】
カバーシートの両側縁部から幅方向へ延びていて着用者の腰部を締め付ける腰回りベルトがカバーシートに取り付けられているとともに、股下域の先端部から長さ方向へ延びていて緩衝用クッション部材と尿吸収用クッション部材と着用者に密着させる股下ベルトがカバーシートに取り付けられている着用物品は、腰回りベルトを利用して着用者の腰部を締め付けることで、着用物品を着用者に装着することができ、股下ベルトを利用して着用者の股下を締め付けることで、着用物品を着用者の股下に密着させることができる。着用物品は、股下ベルトを利用して着用物品を着用者の股下に密着させることができるから、便保持シートや使い捨て尿取りパッド、使い捨て吸収性部材を着用者の股下に密着させることができ、便保持シートや使い捨て吸収性部材に便を確実に保持させることができるとともに、使い捨て尿取りパッドや使い捨て吸収性部材に尿を確実に保持させることができる。
【図面の簡単な説明】
【００２９】
【図１】一例として示す着用物品の正面図。
【図２】着用物品の背面図。
【図３】着用物品の装着手順を説明する図。
【図４】図３から続く着用物品の装着手順を説明する図。
【図５】図４から続く着用物品の装着手順を説明する図。
【図６】装着状態の図１の着用物品の断面図。
【図７】一例として示す着用物品の正面図。
【図８】図７の８−８線端面図。
【図９】装着状態の図７の着用物品の断面図。
【図１０】一例として示す着用物品の正面図。
【図１１】図１０の１１−１１線端面図。
【図１２】装着状態の図１０の着用物品の断面図。
【考案を実施するための形態】
【００３０】
一例として示す着用物品１０Ａの正面図である図１等の添付の図面を参照し、本考案にかかる着用物品の詳細を説明すると、以下のとおりである。なお、図２は、着用物品１０Ａの背面図であり、図３は、着用物品１０Ａの装着手順を説明する図である。図４は、図３から続く着用物品１０Ａの装着手順を説明する図であり、図５は、図４から続く着用物品１０Ａの装着手順を説明する図である。図６は、装着状態の着用物品１０Ａの断面図である。
【００３１】
図１，２では、長さ方向を矢印Ａで示し、幅方向を矢印Ｂで示す。図１では、着用物品１０Ａを幅方向へ二分する中心線Ｌを一点鎖線で示す。図５では、着用物品１０Ａを装着した着用者Ｍを二点鎖線で示す。なお、カバーシート１１や緩衝用クッション部材１２、尿吸収用クッション部材１３、表裏面シート４０，４１，４６，４７の内面とは、着用者Ｍの肌に対向する面をいい、それらの外面とは、着用者Ｍの肌に非対向の面をいう。
【００３２】
着用物品１０Ａは、可撓性を有するカバーシート１１と、可撓性かつクッション性を有するとともに弾性変形可能な緩衝用クッション部材１２と、可撓性かつクッション性を有するとともに弾性変形可能な尿吸収用クッション部材１３と、可撓性を有する便保持シート１４とから形成され、腰回りベルト１５ａ，１５ｂおよび股下ベルト１６を有する。
【００３３】
カバーシート１１は、図示はしていないが、着用者Ｍの肌当接側に位置する疎水性繊維不織布と、着用者Ｍの肌非当接側に位置する通気不透液性プラスチックフィルムとから作られている。不織布およびプラスチックフィルムは、同形同大であり、それらの対向面がホットメルト接着剤によって断続的に固着されている。なお、カバーシート１１は、通気不透液性プラスチックフィルムから作られていてもよい。カバーシート１１が疎水性繊維不織布と通気不透液性プラスチックフィルムとから作られているから、排泄された尿や便のカバーシート１１への滲入を防ぐことができ、カバーシート１１の外側への尿漏れや便漏れを防ぐことができる。
【００３４】
カバーシート１１は、着用者Ｍの腰部や胴部、臀部に位置する身頃域１７と、着用者Ｍの股下に位置する股下域１８とを有する。身頃域１７は、着用者Ｍの腰部全域や胴部全域、臀部全域を包被する長さ寸法および幅寸法を有する。股下域１８は、その両側縁が身頃域１７から股下域１８の先端部に向かうにつれて中心線Ｌに次第に近付くように幅方向内方へ弧を画いており、先細りに成形されている。カバーシート１１は、中心線Ｌに対して対称形に成形されている。身頃域１７の端部１９には、幅方向へ延びる伸縮性弾性部材２０が伸長状態で接合されている。カバーシート１１では、伸縮性弾性部材２０の伸長状態が解除され、端部１９に複数のギャザーが形成されている。身頃域１７の端部１９外面の幅方向中央には、テープ状の雌ファスナ３５（多数のループ部材）が固着（融着）されている。
【００３５】
身頃域１７の一方の側部２１であってカバーシート１１の外面には、側部２１全体にわたって長さ方向へ延びるテープ状の雄ファスナ２２（多数のフック部材）が固着され、身頃域１７の他方の側部２３であってカバーシート１１の内面には、側部２３全体にわたって長さ方向へ延びるテープ状の雌ファスナ２４（多数のループ部材）が固着されている。腰回りベルト１５ａは、カバーシート１１の端部１９と側部２１との交差部分に取り付けられている。腰回りベルト１５ａの一方の端部には、バックル２５ａが取り付けられ、腰回りベルト１５ａの他方の端部には、バックル２５ｂが取り付けられている。
【００３６】
腰回りベルト１５ｂは、カバーシート１１の端部１９と側部２３との交差部分に取り付けられている。腰回りベルト１５ｂの端部には、テープ状の雄ファスナ２６（多数のフック部材）が固着されている。股下ベルト１６は、その基端部がカバーシート１１の股下域１８の先端部に固着（融着）されている。股下ベルト１６の先端部には、テープ状の雄ファスナ３６（多数のフック部材）が固着（融着）されている。
【００３７】
緩衝用クッション部材１２は、その外面がカバーシート１１の内面にホットメルト接着剤を介して断続的に固着されている。クッション部材１２は、その平面形状が矩形に成型され、所定の厚み（２〜６ｃｍ）を有し、カバーシート１１の身頃域１７の中央部に延びている。クッション部材１２は、中心線Ｌに対して対称形に成形され、着用者Ｍの臀部の略全体を包被する大きさ（面積）を有する。クッション部材１２は、ポリエーテル系フォーム原料またはポリエステル系フォーム原料を発泡させた連続気泡を有する軟質ポリウレタンフォームから作られている。
【００３８】
クッション部材１２では、幅方向へ延びる端部２７ａがカバーシート１１の身頃域１７であって端部１９の長さ方向内方に位置し、幅方向へ延びる端部２７ｂがカバーシート１１の股下域１８の長さ方向中央に位置しているとともに、長さ方向へ延びる両側部２８がカバーシート１１の側部２１，２３の幅方向内方に位置している。クッション部材１２の端部２７ａであって部材１２の内面には、テープ状の雄ファスナ２９（多数のフック部材）が固着されている。
【００３９】
尿吸収用クッション部材１３は、その平面形状が長さ方向へ長い略矩形に成型され、カバーシート１１の身頃域１７の中央部および股下域１８の中央部に延びている。クッション部材１３は、中心線Ｌに対して対称形に成形されている。クッション部材１３は、長さ方向へ延びていて肌当接側に隆起する両側部３０と、幅方向へ延びていて肌当接側に隆起する両端部３１ａ，ｂと、両側部３０および両端部３１ａ，ｂを除く残余部３２とを有する。両側部３０と両端部３１ａ，ｂとは、肌当接側に隆起する障壁（防漏堤）を形成し、その厚み寸法（２〜６ｃｍ）が残余部３２の厚み寸法（１〜４ｃｍ）よりも大きい（残余部３２の厚み寸法が両側部３０および両端部３１ａ，ｂのそれよりも小さい）。
【００４０】
尿吸収用クッション部材１３は、ポリエーテル系フォーム原料またはポリエステル系フォーム原料を発泡させた連続気泡を有する軟質ポリウレタンフォームから作られている。クッション部材１３では、連続気泡の気泡密度が緩衝用クッション部材１２の連続気泡の気泡密度よりも多く、その柔軟性がクッション部材１２の柔軟性よりも大きい。なお、クッション部材１３の連続気泡の気泡密度とクッション部材１２の連続気泡の気泡密度とが略同一であり、クッション部材１３の柔軟性とクッション部材１２の柔軟性とが略同一であってもよい。
【００４１】
尿吸収用クッション部材１３の端部３１ａ，ｂの側に延びる両側部３０には、便保持シート１４の一部を挿脱可能に挿通する挿通孔３３が作られている。クッション部材１３の端部３１ａであって部材１３の外面には、テープ状の雌ファスナ３４（多数のフック部材）が固着されている。クッション部材１３では、雌ファスナ３３を緩衝用クッション部材１２の雄ファスナ２９に係合させることで、クッション部材１２の内面に着脱可能に取り付けられる。クッション部材１３では、端部３１ａがカバーシート１１の身頃域１７であって緩衝用クッション部材１２の端部２７ａに位置し、端部３１ｂがカバーシート１１の股下域１８に位置しているとともに、両側部３０がクッション部材１２の両側部２８の幅方向内方に位置している。
【００４２】
便保持シート１４は、図示はしていないが、着用者Ｍの肌当接側に位置する疎水性繊維不織布と、着用者Ｍの肌非当接側に位置する通気不透液性プラスチックフィルムとから作られている。不織布およびプラスチックフィルムは、同形同大であり、それらの対向面がホットメルト接着剤によって断続的に固着されている。なお、便保持シート１４は、通気不透液性プラスチックフィルムから作られていてもよい。便保持シート１４は、その一部が尿吸収用クッション部材１３の挿通孔３３に挿通され、クッション部材１３の内面に着脱可能に取り付けられている。便保持シート１４は、カバーシート１１の身頃域１７の中央部に位置している。
【００４３】
便保持シート１４は、疎水性繊維不織布と通気不透液性プラスチックフィルムとから作られているから、便がシート１４に排泄されたとしても、便がシート１４から滲出することはなく、シート１４に便を確実に保持させることができ、着用物品１０Ａにおける便漏れを防ぐことができるとともに、便によるカバーシート１１や緩衝用クッション部材１２、尿吸収用クッション部材１３の汚れを防ぐことができる。
【００４４】
保護者や介護者が着用物品１０Ａを着用者Ｍに装着する手順の一例は、以下のとおりである。なお、着用者Ｍ自らが着用物品１０Ａを装着する場合もある。カバーシート１１の身頃域１７を着用者Ｍの胴部に巻き付けた後、身頃域１７の側部２１が側部２３の上になるように、側部２１と側部２３とを重ね合わせる。側部２１を側部２３に押し付け、側部２１に固着された雄ファスナ２２と側部２３に固着された雌ファスナ２４とを係合させるとともに、腰回りベルト１５ｂをベルト１５ａのバックル２５ｂに挿通し、ベルト１５ｂを図３に矢印で示す方向へ引っ張り、ベルト１５ａで着用者Ｍの胴部を締め付ける。次に、ベルト１５ｂの端部に固着された雄ファスナ２６を身頃域１７の端部１９に固着された雌ファスナ３５に係合させ、カバーシート１１を着用者Ｍの胴部に装着する。
【００４５】
カバーシート１１を着用者Ｍの胴部に装着すると、身頃域１７が着用者Ｍの胴部や臀部を包被するとともに、身頃域１７の端部１９が着用者Ｍの腰部を包被し、緩衝用クッション部材１２と尿吸収用クッション部材１３と便保持シート１４とが着用者Ｍの背中から臀部に位置する。なお、緩衝用クッション部材１２が着用者Ｍの臀部全体に位置する。次に、図４に示すように、股下ベルト１６の先端部を持ってベルト１６を上方へ持ち上げる。ベルト１６を上方へ持ち上げると、カバーシート１１の股下域１８と緩衝用クッション部材１２の端部２７ｂと股下域１８に延びる尿吸収用クッション部材１３とが上方へ持ち上げられ、便保持シート１４が着用者Ｍの肛門を中心とした臀部に当接し、クッション部材１３が着用者Ｍの臀部や股下、前腹部に当接する。
【００４６】
股下ベルト１６の先端部を持ち上げながら、ベルト１６の先端部を腰回りベルト１５ａのバックル２５ａに挿通し、ベルト１６の先端部を下方に引っ張りながら、股下ベルト１６の先端部に固着された雄ファスナ３６をベルト１６に押し付け、雄ファスナ３６をベルト１６に係合させる。雄ファスナ３６をベルト１６に係合させると、図５に示すように、着用物品１０Ａが着用者Ｍに装着される。着用物品１０Ａが着用者Ｍに装着された状態では、便保持シート１４が着用者Ｍの肛門を中心とした臀部に密着し、クッション部材１３が着用者Ｍの臀部や股下、前腹部に密着する。
【００４７】
着用者Ｍは、着用物品１０Ａを装着した状態で、歩行ができることはもちろん、椅子や床に腰掛けることができる。着用物品１０Ａを装着した着用者Ｍが椅子や床に腰掛けた場合、緩衝用クッション部材１２や尿吸収用クッション部材１３が緩衝材となり、椅子や床の硬さが直接伝わることはなく、臀部や腰にかかる衝撃や負担が軽減される。着用物品１０Ａの装着中に着用者Ｍが排便した場合、便が便保持シート１４に捕集され、シート１４に保持される。また、着用物品１０Ａの装着中に着用者Ｍが排尿した場合、尿が尿吸収用クッション部材１３に吸収保持される。
【００４８】
排便または排尿があった場合、着用物品１０Ａを着用者Ｍから取り外す。保護者や介護者（着用者Ｍを含む）は、着用者Ｍを横臥させた状態で雄ファスナ３６とベルト１６との係合を解除し、ベルト１６の先端部を腰回りベルト１５ａのバックル２５ａから抜き取り、カバーシート１１の股下域１８と緩衝用クッション部材１２の端部２７ｂと股下域１８延びる尿吸収用クッション部材１３とを着用者Ｍの足先に向かって旋回させる。次に、ベルト１５ｂの端部の雄ファスナ２６と身頃域１７の端部１９の雌ファスナ３５との係合を解除し、ベルト１５ｂの端部を図３の矢印方向とは反対の方向へ旋回させるとともに、ベルト１５ｂをバックル２５ｂから抜き取る。側部２１の雄ファスナ２２と側部２３の雌ファスナ２４との係合を解除し、着用者Ｍの胴部に対するカバーシート１１の身頃域１７の固定を解除する。
【００４９】
着用者Ｍの胴部に対する身頃域１７の固定を解除した後、着用者Ｍを着用物品１０Ａから離し、便保持シート１４の一部を挿通孔３３から抜き取り、便を保持したシート１４を尿吸収用クッション部材１３から分離させ、便とともにシート１４を廃棄する。次に、緩衝用クッション部材１２の端部２７ａの雄ファスナ２９と尿吸収用クッション部材１３の端部３１ａの雌ファスナ３４との係合を解除し、クッション部材１２とクッション部材１３とを分離して尿を吸収したクッション部材１３を洗濯する。排泄された便や尿を処理した後、新しい尿吸収用クッション部材１３や洗濯済みのクッション部材１３を緩衝用クッション部材１２の内面に取り付けるとともに、新しい便保持シート１４の一部を挿通孔３３に挿通してシート１４をクッション部材１３の内面に取り付ける。
【００５０】
着用物品１０Ａは、それがカバーシート１１の内面に固着された緩衝用クッション部材１２とクッション部材１２の内面に取り付けられた尿吸収用クッション部材１３とを有し、クッション部材１２やクッション部材１３が衝撃に対する緩衝材になるから、着用物品１０Ａを装着した着用者Ｍが堅い材質の椅子や床に腰掛けたとしても、それらクッション部材１２，１３が着用者Ｍの臀部や腰に当接して椅子や床の硬さが直接伝わることはなく、臀部や腰部にかかる衝撃や負担を軽減することができる。着用物品１０Ａは、緩衝用クッション部材１２や尿吸収用クッション部材１３が着用者Ｍの臀部や腰部にかかる衝撃や負担を軽減するから、着用物品１０Ａを装着した着用者Ｍが椅子や床に長時間腰掛けたとしても、臀部や腰に不快感や違和感が生じることはなく、臀部や腰部の筋肉が減少した高齢者に好適に使用することができる。
【００５１】
着用物品１０Ａは、緩衝用クッション部材１２の内面に尿吸収用クッション部材１３を有するから、排泄された尿を尿吸収用クッション部材１３に吸収させることができ、着用物品１０Ａにおける尿漏れを防ぐことができる。また、尿吸収用クッション部材１３の内面に便保持シート１４が着脱可能に取り付けられているから、排泄された便を便保持シート１４に保持させることができ、着用物品１０Ａにおける便漏れを防ぐことができる。着用物品１０Ａは、便が排泄された場合、それを保持した便保持シート１４を尿吸収用クッション部材１３から取り外し、新しいシート１４をクッション部材１３に取り付けることができるから、シート１４を替えるだけで着用物品１０Ａを清潔な状態で繰り返し使用することができる。また、尿が排泄された場合、それを吸収した尿吸収用クッション部材１３を緩衝用クッション部材１２から取り外し、清潔なクッション部材１３をクッション部材１２に取り付けることができるから、クッション部材１３を替えるだけで着用物品１０Ａを清潔な状態で繰り返し使用することができる。
【００５２】
図７は、一例として示す着用物品１０Ｂの正面図であり、図８は、図７の８−８線端面図である。図９は、装着状態の着用物品１０Ｂの断面図である。この着用物品１０Ｂが図１のそれと異なるところは、使い捨て尿取りパッド３７を有する点にあり、その他の構成は図１の着用物品１０Ａのそれらと同一であるから、図１と同一の符号を付すとともに、図１〜図６の説明を援用することで、この着用物品１０Ｂにおけるその他の構成の詳細な説明は省略する。
【００５３】
着用物品１０Ｂは、可撓性を有するカバーシート１１と、可撓性かつクッション性を有するとともに弾性変形可能な緩衝用クッション部材１２と、可撓性かつクッション性を有するとともに弾性変形可能な尿吸収用クッション部材１３と、可撓性を有する便保持シート１４と、可撓性を有する使い捨て尿取りパッド３７とから形成され、腰回りベルト１５ａ，１５ｂおよび股下ベルト１６を有する。カバーシート１１や緩衝用クッション部材１２、尿吸収用クッション部材１３、便保持シート１４、腰回りベルト１５ａ，１５ｂ、股下ベルト１６は、図１の着用物品１０Ａのそれらと同一である。なお、カバーシート１１の股下域１８に延びる尿吸収用クッション部材１３の内面には、図示はしていないが、テープ状の雄ファスナ（多数のフック部材）が取り付けられている。
【００５４】
使い捨て尿取りパッド３７は、カバーシート１１の股下域１８に延びる尿吸収用クッション部材１３の内面に着脱可能に取り付けられる。パッド３７がクッション部材１３の内面に取り付けられると、パッド３７がカバーシート１１の股下域１８に位置する。パッド３７は、尿吸収用クッション部材１３の肌当接側へ隆起する両側部３０（障壁）の内側に位置して長さ方向へ延びる両側部３８と、クッション部材１３の肌当接側へ隆起する両端部３１ａ，ｂ（障壁）の内側に位置して幅方向へ延びる両端部３９とを有する。
【００５５】
使い捨て尿取りパッド３７は、可撓性を有して肌当接側に位置する透液性表面シート４０と、可撓性を有して肌非当接側に位置する不透液性裏面シート４１と、可撓性を有して表裏面シート４０，４１の間に介在する吸液性コア４２とから形成されている。表面シート４０と裏面シート４１とは、コア４２の周縁から外方へ延びる部分がホットメルト接着剤を介して断続的に固着されている。
【００５６】
表面シート４０は、親水性繊維不織布から作られている。裏面シート４１は、互いに重なり合う通気不透液性プラスチックフィルムと疎水性繊維不織布とから作られている。裏面シート４１では、フィルムが肌当接側に位置するとともに、不織布が肌非当接側に位置している。裏面シート４１のフィルムと不織布とは、それらの対向面がホットメルト接着剤を介して断続的に接合されている。裏面シート４１の外面（不織布）には、図示はしていないが、テープ状の雌ファスナ（多数のループ部材）が取り付けられている。コア４２は、表面シート４０と裏面シート４１（フィルム）とのうちの少なくとも一方にホットメルト接着剤を介して断続的に固着されている。クッション部材１３の内面に取り付けられた雄ファスナと裏面シート４１の外面に取り付けられた雌ファスナとを係合させることで、パッド３７がクッション部材１３に着脱可能に設置される。
【００５７】
コア４１は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア４１は、その型崩れやポリマーの脱落を防止するため、全体がティッシュペーパーや親水性繊維不織布等の透液性シートに包被されていることが好ましい。ポリマーには、デンプン系、セルロース系、合成ポリマー系を使用することができる。
【００５８】
着用物品１０Ｂを着用者Ｍに装着する手順や物品１０Ｂを着用者Ｍから取り外す手順は、図１の着用物品１０Ａのそれらと同一であるから、その説明は省略する。着用者Ｍは、着用物品１０Ｂを装着した状態で、歩行ができることはもちろん、椅子や床に腰掛けることができる。着用物品１０Ｂを装着した着用者Ｍが椅子や床に腰掛けた場合、緩衝用クッション部材１２や尿吸収用クッション部材１３が緩衝材となり、椅子や床の硬さが直接伝わることはなく、臀部や腰部にかかる衝撃や負担が軽減される。着用物品１０Ｂの装着中に着用者Ｍが排便した場合、便が便保持シート１４に捕集され、シート１４に保持される。また、着用物品１０Ｂの装着中に排泄された尿は、使い捨て尿取りパッド３７の表面シート４０を透過し、コア４２に吸収保持される。なお、尿がパッド３７から漏れたとしても、その尿が尿吸収用クッション部材１３に吸収保持される。
【００５９】
着用物品１０Ｂの装着中に便が排泄された場合、便保持シート１４の一部を挿通孔３３から抜き取り、便を保持したシート１４を尿吸収用クッション部材１３から分離させ、便とともにシート１４を廃棄する。また、緩衝用クッション部材１３の雄ファスナと裏面シート４１の雌ファスナとの係合を解除し、クッション部材１３から使い捨て尿取りパッド３７を取り外し、排泄された便や尿を処理した後、新しい使い捨て尿取りパッド３７を尿吸収用クッション部材１３の内面に取り付けるとともに、新しい便保持シート１４の一部を挿通孔３３に挿通してシート１４をクッション部材１３の内面に取り付ける。
【００６０】
着用物品１０Ｂは、それがカバーシート１１の内面に固着された緩衝用クッション部材１２とクッション部材１２の内面に取り付けられた尿吸収用クッション部材１３とを有し、クッション部材１２やクッション部材１３が衝撃に対する緩衝材になるから、着用物品１０Ｂを装着した着用者Ｍが堅い材質の椅子や床に腰掛けたとしても、それらクッション部材１２，１３が着用者Ｍの臀部や腰に当接して椅子や床の硬さが直接伝わることはなく、臀部や腰にかかる衝撃や負担を軽減することができる。着用物品１０Ｂは、緩衝用クッション部材１２や尿吸収用クッション部材１３が着用者Ｍの臀部や腰部にかかる衝撃や負担を軽減するから、着用物品１０Ｂを装着した着用者Ｍが椅子や床に長時間腰掛けたとしても、臀部や腰に不快感や違和感が生じることはなく、臀部や腰部の筋肉が減少した高齢者に好適に使用することができる。
【００６１】
着用物品１０Ｂは、尿吸収用クッション部材１３の内面に使い捨て尿取りパッド３７が着脱可能に取り付けられるから、排泄された尿をパッド３７に吸収保持させることができ、着用物品１０Ｂにおける尿漏れを防ぐことができる。また、尿吸収用クッション部材１３の内面に便保持シート１４が着脱可能に取り付けられているから、排泄された便を便保持シート１４に保持させることができ、着用物品１０Ｂにおける便漏れを防ぐことができる。
【００６２】
着用物品１０Ｂは、便が排泄された場合、それを保持した便保持シート１４を尿吸収用クッション部材１３から取り外し、新しいシート１４をクッション部材１３に取り付けることができるから、シート１４を替えるだけで着用物品１０Ｂを清潔な状態で繰り返し使用することができる。また、尿が排泄された場合、それを吸収した使い捨て尿取りパッド３７を尿吸収用クッション部材１３から取り外し、新しい使い捨て尿取りパッド３７をクッション部材１３に取り付けることができるから、パッド３７を替えるだけで着用物品１０Ｂを清潔な状態で繰り返し使用することができる。
【００６３】
着用物品１０Ｂは、尿吸収用クッション部材１３が肌当接側に隆起する両側部３０および両端部３１ａ，ｂを有し、クッション部材１３の内面に便保持シート１４や使い捨て尿取りパッド３７を配置したときに、クッション部材１３の残余部３２にシート１４やパッド３７が納まるとともに、クッション部材１３の両側部３０および両端部３１ａ，ｂが障壁（防漏堤）となり、クッション部材１３からのシート１４やパッド３７の脱落を防ぐことができ、物品１０Ｂの装着中のクッション部材１３におけるシート１４やパッド３７のずれ動きを防ぐことができる。着用物品１０Ｂは、便保持シート１４や使い捨て尿取りパッド３７がずれ動くことはないから、シート１４に便を確実に保持させることができるとともに、パッド３７に尿を確実に吸収保持させることができる。
【００６４】
図１０は、一例として示す着用物品１０Ｃの正面図であり、図１１は、図１０の１１−１１線端面図である。図１２は、装着状態の着用物品１０Ｃの断面図である。この着用物品１０Ｃが図１のそれと異なるところは、便保持シート１４に替えて使い捨て吸収性部材４３を有する点にあり、その他の構成は図１の着用物品１０Ａのそれらと同一であるから、図１と同一の符号を付すとともに、図１〜図６の説明を援用することで、この着用物品１０Ｃにおけるその他の構成の詳細な説明は省略する。
【００６５】
着用物品１０Ｃは、可撓性を有するカバーシート１１と、可撓性かつクッション性を有するとともに弾性変形可能な緩衝用クッション部材１２と、可撓性かつクッション性を有するとともに弾性変形可能な尿吸収用クッション部材１３と、可撓性を有する使い捨て吸収性部材４３とから形成され、腰回りベルト１５ａ，１５ｂおよび股下ベルト１６を有する。カバーシート１１や緩衝用クッション部材１２、尿吸収用クッション部材１３、腰回りベルト１５ａ，１５ｂ、股下ベルト１６は、図１の着用物品１０Ａのそれらと同一である。
【００６６】
なお、着用物品１０Ｃでは、カバーシート１１の股下域１８の幅寸法が着用物品１０Ａに使用されているカバーシート１１の股下域１８の幅寸法よりも大きく、尿吸収用クッション部材１３の両側部３０が股下域１８の内側に位置している。また、緩衝用クッション部材１２の角部が面取されて弧を画いている。カバーシート１１の身頃域１７および股下域１８に延びる尿吸収用クッション部材１３の内面には、図示はしていないが、テープ状の雄ファスナ（多数のフック部材）が取り付けられている。
【００６７】
使い捨て吸収性部材４３は、カバーシート１１の身頃域１７と股下域１８とに延びる尿吸収用クッション部材１３の内面に着脱可能に取り付けられる。吸収性部材４３がクッション部材１３の内面に取り付けられると、吸収性部材４３がカバーシート１１の身頃域１７の中央部と股下域１８とに位置する。吸収性部材４３は、尿吸収用クッション部材１３の肌当接側へ隆起する両側部３０（障壁）の内側に位置して長さ方向へ延びる両側部４４と、クッション部材１３の肌当接側へ隆起する両端部３１ａ，ｂ（障壁）の内側に位置して幅方向へ延びる両端部４５とを有する。
【００６８】
使い捨て吸収性部材４３は、可撓性を有して肌当接側に位置する透液性表面シート４６と、可撓性を有して肌非当接側に位置する不透液性裏面シート４７と、可撓性を有して表裏面シート４６，４７の間に介在する吸液性コア４８と、可撓性を有して表面シート４６の上方へ起立性向を有する防漏シート４９とから形成されている。表面シート４０と裏面シート４１とは、コア４２の周縁から外方へ延びる部分がホットメルト接着剤を介して断続的に固着されている。
【００６９】
表面シート４６や裏面シート４７、吸液性コア４８は、使い捨て尿取りパッド３７のそれらと同一である。裏面シート４１の外面（不織布）には、図示はしていないが、テープ状の雌ファスナ（多数のループ部材）が取り付けられている。コア４８は、表面シート４６と裏面シート４７（フィルム）とのうちの少なくとも一方にホットメルト接着剤を介して断続的に固着されている。クッション部材１３の内面に取り付けられた雄ファスナと裏面シート４７の外面に取り付けられた雌ファスナとを係合させることで、吸収性部材４３がクッション部材１３に着脱可能に設置される。
【００７０】
防漏シート４９は、疎水性繊維不織布から作られている。防漏シート４９は、吸収性部材４３の両側部４４に位置して長さ方向へ延びる固定側部５０および可動側部５１と、吸収性部材４３の両端部４５に位置して幅方向内方へ倒伏した固定両端部５２とを有する。可動側部５１の先端には、長さ方向へ延びる伸縮性弾性部材５３が収縮可能に取り付けられている。固定両端部５２は、表面シート４６にホットメルト接着剤を介して断続的に固着されている。防漏シート４９では、吸収性部材４３が表面シート４６を内側にして長さ方向へ湾曲すると、弾性部材５３が収縮して可動側部５１が表面シート４６の上方へ起立し、可動側部５１が尿や便に対する障壁を形成する。
【００７１】
着用物品１０Ｃを着用者Ｍに装着する手順や物品１０Ｃを着用者Ｍから取り外す手順は、図１の着用物品１０Ａのそれらと同一であるから、その説明は省略する。着用者Ｍは、着用物品１０Ｃを装着した状態で、歩行ができることはもちろん、椅子や床に腰掛けることができる。着用物品１０Ｃを装着した着用者Ｍが椅子や床に腰掛けた場合、緩衝用クッション部材１２や尿吸収用クッション部材１３が緩衝材となり、椅子や床の硬さが直接伝わることはなく、臀部や腰部にかかる衝撃や負担が軽減される。
【００７２】
着用物品１０Ｃの装着中に排泄された尿や便は、使い捨て吸収性部材４３の表面シート４６を透過し、コア４８に吸収保持される。なお、表面シート４６の上方に起立する防漏シート４９の可動側部５１が尿や便に対する障壁となり、吸収性部材４３の両側部４４からの尿や便の漏れが防止される。また、尿や便が吸収性部材４３の両側部４４や両端部４５から漏れたとしても、その尿が尿吸収用クッション部材１３に吸収保持される。
【００７３】
着用物品１０Ｃの装着中に尿や便が排泄された場合、緩衝用クッション部材１３の雄ファスナと裏面シート４７の雌ファスナとの係合を解除し、クッション部材１３から尿や便を保持した使い捨て吸収性部材４３を取り外し、その吸収性部材４３を廃棄する。排泄された便や尿を使用済みの吸収性部材４３とともに処理した後、新しい使い捨て吸収性部材４３を尿吸収用クッション部材１３の内面に取り付ける。
【００７４】
着用物品１０Ｃは、それがカバーシート１１の内面に固着された緩衝用クッション部材１２とクッション部材１２の内面に取り付けられた尿吸収用クッション部材１３とを有し、クッション部材１２やクッション部材１３が衝撃に対する緩衝材になるから、着用物品１０Ｃを装着した着用者Ｍが堅い材質の椅子や床に腰掛けたとしても、それらクッション部材１２，１３が着用者Ｍの臀部や腰部に当接して椅子や床の硬さが直接伝わることはなく、臀部や腰部にかかる衝撃や負担を軽減することができる。着用物品１０Ｃは、緩衝用クッション部材１２や尿吸収用クッション部材１３が着用者Ｍの臀部や腰部にかかる衝撃や負担を軽減するから、着用物品１０Ｃを装着した着用者Ｍが椅子や床に長時間腰掛けたとしても、臀部や腰に不快感や違和感が生じることはなく、臀部や腰部の筋肉が減少した高齢者に好適に使用することができる。
【００７５】
着用物品１０Ｃは、尿吸収用クッション部材１３の内面に使い捨て吸収性部材４３が着脱可能に取り付けられるから、排泄された尿や便を吸収性部材４３に吸収保持させることができ、着用物品１０Ｃにおける尿漏れや便漏れを防ぐことができる。着用物品１０Ｃは、尿や便が排泄された場合、それらを保持した使い捨て吸収性部材４３を尿吸収用クッション部材１３から取り外し、新しい吸収性部材４３をクッション部材１３に取り付けることができるから、吸収性部材４３を替えるだけで着用物品１０Ｃを清潔な状態で繰り返し使用することができる。
【００７６】
着用物品１０Ｃは、尿吸収用クッション部材１３が肌当接側に隆起する両側部３０および両端部３１ａ，ｂを有し、クッション部材１３の内面に使い捨て吸収性部材４３を配置したときに、クッション部材１３の残余部３２に吸収性部材４３が納まるとともに、クッション部材１３の両側部３０および両端部３１ａ，ｂが障壁（防漏堤）となり、クッション部材１３からの吸収性部材４３の脱落を防ぐことができ、物品１０Ｃの装着中のクッション部材１３における吸収性部材４３のずれ動きを防ぐことができる。着用物品１０Ｃは、使い捨て吸収性部材４３がずれ動くことはないから、吸収性部材４３に尿や便を確実に保持させることができる。
【符号の説明】
【００７７】
１０Ａ  着用物品
１０Ｂ  着用物品
１０Ｃ  着用物品
１１    カバーソート
１２    緩衝用クッション部材
１３    尿吸収用クッション部材
１４    便保持シート
１５ａ，ｂ  腰回りベルト
１６    股下ベルト
１７    身頃域
１８    股下域
１９    端部
２０    伸縮性弾性部材
２１    側部
２２    雄ファスナ
２３    側部
２４    雌ファスナ
２５ａ，ｂ  バックル
２６    雄ファスナ
２７ａ，ｂ  端部
２８    側部
２９    雄ファスナ
３０    両側部
３１ａ，ｂ  両端部
３２    残余部
３３    挿通孔
３４    雌ファスナ
３５    雌ファスナ
３６    雄ファスナ
３７    使い捨て尿取りパッド
３８    両側部
３９    両端部
４０    透液性表面シート
４１    不透液性裏面シート
４２    吸液性コア
４３    使い捨て吸収性物品
４４    両側部
４５    両端部
４６    透液性表面シート
４７    不透液性裏面シート
４８    吸液性コア
４９    防漏シート
５０    固定側部
５１    可動側部
５２    固定両端部
５３    伸縮性弾性部材
【図１】
0003188898.tif 000003
【図２】
0003188898.tif 000004
【図３】
0003188898.tif 000005
【図４】
0003188898.tif 000006
【図５】
0003188898.tif 000007
【図６】
0003188898.tif 000008
【図７】
0003188898.tif 000009
【図８】
0003188898.tif 000010
【図９】
0003188898.tif 000011
【図１０】
0003188898.tif 000012
【図１１】
0003188898.tif 000013
【図１２】
0003188898.tif 000014